(57)【要約】【課題】データが記憶される記憶先を条件に基づいて切り換えることを目的とする。【解決手段】ユーザからの要求に応じて受信した文書データを蓄積する蓄積装置とネットワークを介して接続し、第１の記憶部を有する情報処理装置が、文書データを蓄積する前記蓄積装置から、文書データを取得する場合の条件である検索条件の設定を受け付け、設定された検索条件を指定して文書データの出力を指示する処理を実行するためのアイコンを表示し、表示されている前記アイコンを指定する指定操作を受け付けた場合に、当該アイコンに対応する検索条件に基づいて前記蓄積装置に対する検索を実行し、検索された文書データを取得して出力を実行する処理の実行を制御し、前記蓄積装置から取得された前記文書データを記憶し、前記制御は、前記検索条件に対応付けて設定された、前記文書データを前記第１の記憶部に記憶させる場合の条件である記憶条件に基づいて、取得した前記文書データを前記第１の記憶部に記憶させることにより上記課題を解決する。【選択図】図１
2016177685.tif 000002
【特許請求の範囲】
【請求項１】
ユーザからの要求に応じて受信した文書データを蓄積する蓄積装置とネットワークを介して接続する情報処理装置であって、
文書データを蓄積する前記蓄積装置から、文書データを取得する場合の条件である検索条件の設定を受け付ける第１設定部と、
設定された検索条件を指定して文書データの出力を指示する処理を実行するためのアイコンを表示する表示部と、
表示されている前記アイコンを指定する指定操作を受け付けた場合に、当該アイコンに対応する検索条件に基づいて前記蓄積装置に対する検索を実行し、検索された文書データを取得して出力を実行する処理の実行を制御する制御部と、
前記蓄積装置から取得された前記文書データを記憶する第１の記憶部と、を含み、
前記制御部は、
前記検索条件に対応付けて設定された、前記文書データを前記第１の記憶部に記憶させる場合の条件である記憶条件に基づいて、取得した前記文書データを前記第１の記憶部に記憶させる情報処理装置。
【請求項２】
前記記憶条件には、前記文書データが前記蓄積装置に蓄積された日時を示す条件が含まれる請求項１に記載の情報処理装置。
【請求項３】
前記蓄積装置から取得された前記文書データを記憶する第２の記憶部をさらに含み、
前記制御部は、
前記記憶条件に基づいて、取得した前記文書データを前記第１の記憶部に記憶させるか前記第２の記憶部に記憶させるかを判定した結果に基づいて、当該文書データを記憶させる請求項１又は２に記載の情報処理装置。
【請求項４】
文書データを消去する消去部をさらに含み、
前記消去部は、前記第２の記憶部が記憶する文書データから順に消去する請求項３に記載の情報処理装置。
【請求項５】
前記第２の記憶部が記憶する複数の文書データに対して、前記記憶条件に基づいて優先度をそれぞれ設定する第２設定部をさらに含み、
前記消去部は、前記優先度に基づいて、文書データを消去する請求項４に記載の情報処理装置。
【請求項６】
前記消去部は、前記第２の記憶部が記憶する文書データを前記優先度が低い文書データから順に消去する請求項５に記載の情報処理装置。
【請求項７】
前記制御部は、前記検索条件に該当するデータを前記第１の記憶部が記憶するデータから検索する請求項１乃至６のいずれか一項に記載の情報処理装置。
【請求項８】
ユーザからの要求に応じて受信した文書データを蓄積する蓄積装置とネットワークを介して接続する１以上の情報処理装置を有する情報処理システムであって、
文書データを蓄積する前記蓄積装置から、文書データを取得する場合の条件である検索条件の設定を受け付ける設定部と、
設定された検索条件を指定して文書データの出力を指示する処理を実行するためのアイコンを表示する表示部と、
表示されている前記アイコンを指定する指定操作を受け付けた場合に、当該アイコンに対応する検索条件に基づいて前記蓄積装置に対する検索を実行し、検索された文書データを取得して出力を実行する処理の実行を制御する制御部と、
前記蓄積装置から取得された前記文書データを記憶する第１の記憶部と、を含み、
前記制御部は、
前記検索条件に対応付けて設定された、前記文書データを前記第１の記憶部に記憶させる場合の条件である記憶条件に基づいて、取得した前記文書データを前記第１の記憶部に記憶させる情報処理システム。
【請求項９】
ユーザからの要求に応じて受信した文書データを蓄積する蓄積装置とネットワークを介して接続し、第１の記憶部を有する情報処理装置が行う情報処理方法であって、
前記情報処理装置が、文書データを蓄積する前記蓄積装置から、文書データを取得する場合の条件である検索条件の設定を受け付ける設定手順と、
前記情報処理装置が、設定された検索条件を指定して文書データの出力を指示する処理を実行するためのアイコンを表示する表示手順と、
前記情報処理装置が、表示されている前記アイコンを指定する指定操作を受け付けた場合に、当該アイコンに対応する検索条件に基づいて前記蓄積装置に対する検索を実行し、検索された文書データを取得して出力を実行する処理の実行を制御する制御手順と、
前記情報処理装置が、前記蓄積装置から取得された前記文書データを記憶する第１の記憶手順と、を含み、
前記制御手順は、
前記検索条件に対応付けて設定された、前記文書データを前記第１の記憶手順で記憶させる場合の条件である記憶条件に基づいて、取得した前記文書データを前記第１の記憶部に記憶させる情報処理方法。
【請求項１０】
ユーザからの要求に応じて受信した文書データを蓄積する蓄積装置とネットワークを介して接続し、第１の記憶部を有するコンピュータに実行させるためのプログラムであって、
前記コンピュータが、文書データを蓄積する前記蓄積装置から、文書データを取得するときの条件である検索条件の設定を受け付ける設定手順と、
前記コンピュータが、設定された検索条件を指定して文書データの出力を指示する処理を実行するためのアイコンを表示する表示手順と、
前記コンピュータが、表示されている前記アイコンを指定する指定操作を受け付けた場合に、当該アイコンに対応する検索条件に基づいて前記蓄積装置に対する検索を実行し、検索された文書データを取得して出力を実行する処理の実行を制御する制御手順と、
前記コンピュータが、前記蓄積装置から取得された前記文書データを記憶する第１の記憶手順と、を含み、
前記制御手順では、
前記検索条件に対応付けて設定された、前記文書データを前記第１の記憶手順で記憶させる場合の条件である記憶条件に基づいて、取得した前記文書データを前記第１の記憶部に記憶させるのを実行させるためのプログラム。
【発明の詳細な説明】
【技術分野】
【０００１】
本発明は、情報処理装置、情報処理システム、情報処理方法、及びプログラムに関する。
【背景技術】
【０００２】
従来、複合機等が操作パネルを有し、操作パネル上にアイコン（ｉｃｏｎ）等が表示され、表示されたアイコンをユーザが押すことで、ユーザからの入力を受け付ける方法が知られている。
【０００３】
また、ユーザの検索操作に基づいて複合機又はクラウドから検索された電子原稿を特定するアイコンが登録され、ホーム画面に登録したアイコンを表示することで、ユーザが電子原稿を検索する手間を軽減する方法が知られている（例えば、特許文献１等）。
【発明の概要】
【発明が解決しようとする課題】
【０００４】
しかしながら、従来の方法では、例えば、クラウドから検索されたデータは、複合機に記憶されないため、例えば、利用頻度の高いデータであっても、利用する度にクラウドに対してデータ検索を行い、検索したデータを受信しなければならない可能性がある。その場合、文書データ検索が非効率である問題がある。
【０００５】
本発明の１つの側面は、文書データの検索を効率化することを目的とする。
【課題を解決するための手段】
【０００６】
一態様における、ユーザからの要求に応じて受信した文書データを蓄積する蓄積装置とネットワークを介して接続する情報処理装置は、文書データを蓄積する前記蓄積装置から、文書データを取得する場合の条件である検索条件の設定を受け付ける設定部と、設定された検索条件を指定して文書データの出力を指示する処理を実行するためのアイコンを表示する表示部と、表示されている前記アイコンを指定する指定操作を受け付けた場合に、当該アイコンに対応する検索条件に基づいて前記蓄積装置に対する検索を実行し、検索された文書データを取得して出力を実行する処理の実行を制御する制御部と、前記蓄積装置から取得された前記文書データを記憶する第１の記憶部と、を含み、前記制御部は、前記検索条件に対応付けて設定された、前記文書データを前記第１の記憶部に記憶させる場合の条件である記憶条件に基づいて、取得した前記文書データを前記第１の記憶部に記憶させることを特徴とする。
【発明の効果】
【０００７】
文書データの検索を効率化することができる。
【図面の簡単な説明】
【０００８】
【図１】本発明の一実施形態に係る情報処理装置のハードウェア構成の一例を示すブロック図である。
【図２】本発明の一実施形態に係る情報処理装置が表示する操作画面の一例を示す図である。
【図３】本発明の一実施形態に係る情報処理装置に対するユーザによる操作の一例を示すユースケース図である。
【図４】本発明の一実施形態に係る情報処理装置が表示するルールに係る操作画面の一例を示す図である。
【図５】本発明の一実施形態に係る情報処理装置が有する記憶領域の構成の一例を示す図である。
【図６】本発明の一実施形態に係る情報処理装置による全体処理の一例を示すフローチャートである。
【図７】本発明の一実施形態に係る情報処理装置による第１処理の一例を示すフローチャートである。
【図８】本発明の一実施形態に係る情報処理装置による第２処理の一例を示すフローチャートである。
【図９】本発明の一実施形態に係る情報処理装置の機能構成の一例を示す機能ブロック図である。
【発明を実施するための形態】
【０００９】
以下、本発明の実施の形態について説明する。
【００１０】
（情報処理装置例）
図１は、本発明の一実施形態に係る情報処理装置のハードウェア構成の一例を示すブロック図である。また、情報処理装置は、例えば図１に示す画像処理装置１０である。図１に示す例では、画像処理装置１０は、コントローラ１１、スキャナ１２、プリンタ１３、モデム１４、操作パネル１５、ネットワークインタフェース１６、及びＳＤ（登録商標）カードスロット１７等のハードウェアを有する。なお、画像処理装置１０は、例えば複合機等である。
【００１１】
コントローラ１１は、ＣＰＵ（Ｃｅｎｔｒａｌ  Ｐｒｏｃｅｓｓｉｎｇ  Ｕｎｉｔ）１１１、ＲＡＭ（Ｒａｎｄｏｍ  Ａｃｃｅｓｓ  Ｍｅｍｏｒｙ）１１２、ＲＯＭ（Ｒｅａｄ  Ｏｎｌｙ  Ｍｅｍｏｒｙ）１１３、ＨＤＤ（Ｈａｒｄ  Ｄｉｓｋ  Ｄｒｉｖｅ）１１４、及びＮＶＲＡＭ（Ｎｏｎ  Ｖｏｌａｔｉｌｅ  ＲＡＭ）１１５等を有する。
【００１２】
ＲＯＭ１１３には、各種のプログラム及びプログラムによって利用されるデータ等が記憶される。また、ＲＡＭ１１２は、プログラムをロードする記憶領域及びロードされるプログラムのワーク領域等として用いられる。
【００１３】
ＣＰＵ１１１は、ＲＡＭ１１２にロードされるプログラムを実行して各種の機能を実現する。また、ＨＤＤ１１４には、プログラム及びプログラムが利用する各種のデータ等が記憶される。さらに、ＮＶＲＡＭ１１５には、各種の設定情報等が記憶される。
【００１４】
スキャナ１２は、用紙に画像形成された画像を読み取り、画像データを生成する。また、プリンタ１３は、画像データに基づいて用紙に画像を画像形成する。さらに、モデム１４は、電話回線等に接続し、ＦＡＸ通信等によってデータを外部装置等と送受信する。
【００１５】
操作パネル１５は、ユーザから操作を受け付けるため、ボタン等の入力装置及び液晶パネル等の出力装置を有する。なお、操作パネル１５は、スマートフォン（ｓｍａｒｔｐｈｏｎｅ）又はタブレット（ｔａｂｌｅｔ）等の他の情報処理装置であってもよい。
【００１６】
ネットワークインタフェース１６は、ＬＡＮ（Ｌｏｃａｌ  Ａｒｅａ  Ｎｅｔｗｏｒｋ）等のネットワークに接続する。
【００１７】
ＳＤ（登録商標）カードスロット１７は、ＳＤ（登録商標）カード８０からプログラム及びデータ等を入力する。即ち、画像処理装置１０では、ＲＯＭ１１３に記憶されるプログラムだけでなく、ＳＤ（登録商標）カード８０に記憶されるプログラムが、ＲＡＭ１１２にロードされ、ＣＰＵ１１１によって実行されてもよい。
【００１８】
なお、ＳＤ（登録商標）カードスロット１７は、他の記録媒体（例えば、ＣＤ−ＲＯＭ又はＵＳＢ（Ｕｎｉｖｅｒｓａｌ  Ｓｅｒｉａｌ  Ｂｕｓ）メモリ等）からデータ等を入力してもよい。
【００１９】
（ユーザによる操作例）
図２は、本発明の一実施形態に係る情報処理装置が表示する操作画面の一例を示す図である。具体的には、画像処理装置は、図２に示す画面を操作パネル１５（図１）等によって表示する。これに対して、ユーザは、表示されるアイコン等を押して操作を行う。また、アイコンには、データのサムネイル（ｔｈｕｍｂｎａｉｌ）、ラベル（ｌａｂｅｌ）、及びデータに係る設定等のインジケータ（ｉｎｄｉｃａｔｏｒ）が表示できる。なお、データに係る設定は、データが白黒（モノクロ）であるかカラーであるか、印刷設定が両面であるか片面であるか等である。また、データに係る設定は、部数等でもよい。また、アイコン１のようなルールが設定されたアイコンと、アイコン３のようなルールが設定されていないアイコンがある。
【００２０】
図３は、本発明の一実施形態に係る情報処理装置に対するユーザによる操作の一例を示すユースケース図である。具体的には、ユーザＵＳＥＲは、操作画面によって、「アイコンの登録」、「アイコンの編集」、「アイコンの削除」、及び「アイコンの実行」等の操作を画像処理装置に対して行う。
【００２１】
「アイコンの登録」は、「ルールの追加」及び「ルールの削除」から構成される。アイコンには、「ルールの追加」によってルールが設定される。なお、１つのアイコンに対して複数のルールが設定されてもよい。また、複数のルールが設定される場合、各ルールは、「ＡＮＤ」であるか「ＯＲ」であるかが設定される。
【００２２】
「ルールの追加」では、アイコンに対して設定するルールをユーザＵＳＥＲが選択する。なお、選択されるルールにおいて、所定のデータを扱う場合、所定のデータは、コピーされ、記憶される。コピーによってデータが画像処理装置に記憶されると、データが消去されても、画像処理装置は、ルールに基づく処理を実行できる。また、「ルールの追加」は、例えば、予め入力されるルールから選択する「ルールを選ぶ」と、新しいルールを設定する「ルールの選択」とのいずれか一方の操作で行われる。
【００２３】
「ルールの削除」は、「ルールの追加」で設定されたルールを削除する。
【００２４】
「アイコンの編集」は、「アイコンの登録」によって登録されたアイコンに設定されているルールを変更する。
【００２５】
「アイコンの削除」は、「アイコンの登録」によって登録されたアイコンを削除する。
【００２６】
「アイコンの実行」は、アイコンに設定されるルールに基づいて画像処理装置に各種処理を実行させる。なお、「アイコンの実行」によって、画像処理装置がデータを検索し、検索条件に該当するデータがない場合、画像処理装置は、該当するデータがないメッセージをユーザＵＳＥＲに表示する。
【００２７】
図４は、本発明の一実施形態に係る情報処理装置が表示するルールに係る操作画面の一例を示す図である。例えば、図３に示す操作は、図４に示す操作画面に対して行われる。
【００２８】
図４は、図３に示す「ルールの追加」の操作で用いられる操作画面の例である。図示するように、ルールは、ユーザによって入力及び編集される。具体的には、「キャンセル」が押されると、画像処理装置は、「ルールの追加」に係る処理を中止する。また、「追加」が押されると、画像処理装置は、新しいルールを追加する。さらに、「ＯＫ」が押されると、画像処理装置は、操作画面上にアイコンを生成する。また、複数のルールが選択される場合、ユーザは、「ＡＮＤ（かつ）」又は「ＯＲ（又は）」を操作画面から設定する。
【００２９】
（検索条件例）
検索条件は、ルールとして入力される。具体的には、検索条件として入力されるルールは、例えば、下記（表１）に示す条件等である。
【００３０】
以下、文字を含む文書データ（以下、単に「文書」という。）を画像処理装置が検索及び出力する例で説明する。
【００３１】
【表１】
2016177685.tif 000003
「番号」は、各検索条件を識別する通し番号である。「ルール名」は、検索条件のそれぞれの名称である。「種類」は、検索によって検索される文書が１つとなるか複数となるかを示す。「設定項目」は、各検索条件による検索で用いられるパラメータである。また、例えば、番号が１６、１７及び１８のルールについて、「設定項目」には、日付のほかに、日時が設定されてもよい。「ルール種別」は、各検索条件の種別を示す。なお、「ルール種別」は、例えば、下記（表２）で示す記憶条件と対応する。
【００３２】
（記憶条件例）
【００３３】
【表２】
2016177685.tif 000004
記憶条件は、例えば、上記（表２）に示すデータによって画像処理装置に入力される。
【００３４】
「ルール種別」は、上記（表１）で示す「ルール種別」に対応し、各記憶条件の種別を識別する種別名である。「対象と条件」は、各種別の説明であり、各検索条件の対象となる文書及び条件を示す。「記憶先及び優先度設定」は、検索された文書が記憶される記憶先を示す。また、優先度を設定する場合、検索された文書には、優先度の例として、高い優先度である「（優先度：高）」又は低い優先度である「（優先度：低）」のいずれかが設定される。「第２処理の検索」は、第２処理で検索を行う際の処理内容を示す。
【００３５】
また、検索された文書は、下記（表３）に示す出力ルールに基づいて出力される。
【００３６】
（出力ルール例）
【００３７】
【表３】
2016177685.tif 000005
「番号」は、各出力ルールを識別する通し番号である。「ルール名」は、出力ルールのそれぞれの内容を示す。「種類」は、文書の出力方法を示す。「設定項目」は、出力に用いられるパラメータである。
【００３８】
なお、各ルールは、「ＡＮＤ」又は「ＯＲ」で、複数のルールを組み合わせてもよい。
【００３９】
（記憶領域の構成例）
図５は、本発明の一実施形態に係る情報処理装置が有する記憶領域の構成の一例を示す図である。具体的には、図５は、画像処理装置１０が第１記憶部の例として確定記憶領域Ｍ１と、第２記憶部の例として一時記憶領域Ｍ２とを有する例を示す。
【００４０】
なお、確定記憶領域Ｍ１及び一時記憶領域Ｍ２は、それぞれ記憶装置を別にして物理的に領域を別にする方法と、フォルダ又はパーティション（ｐａｒｔｉｔｉｏｎ）等によって論理的に領域を別にする方法等がある。また、記憶領域は、３つ以上あってもよい。
【００４１】
確定記憶領域Ｍ１は、上記（表２）において、記憶先が「確定記憶領域」であると、データは、確定記憶領域Ｍ１に記憶される。一方、上記（表２）において、記憶先が「一時記憶領域」であると、データは、一時記憶領域Ｍ２に記憶される。
【００４２】
まず、画像処理装置１０に検索条件をユーザが入力すると、画像処理装置１０は、検索条件に該当するデータを確定記憶領域Ｍ１、一時記憶領域Ｍ２、及びネットワークを介して蓄積装置の例であるサーバ２０等から検索する。次に、画像処理装置１０は、該当するデータを確定記憶領域Ｍ１又は一時記憶領域Ｍ２のいずれかに記憶し、データを出力する。
【００４３】
例えば、確定記憶領域Ｍ１及び一時記憶領域Ｍ２の領域がデータで一杯になると、画像処理装置１０は、記憶するデータを消去する。この場合、画像処理装置１０は、一時記憶領域Ｍ２に記憶されるデータから順に消去する。なお、上記（表２）で示すように、データに優先度がそれぞれ設定される場合、画像処理装置１０は、一時記憶領域Ｍ２に記憶されるデータのうち、優先度が低いデータから順に消去する。
【００４４】
画像処理装置１０は、記憶条件に基づいて、各データを記憶する記憶先を確定記憶領域Ｍ１とするか一時記憶領域Ｍ２とするかを判断する。
【００４５】
例えば、検索条件が上記（表１）の「番号」が「１」である検索条件で検索されると、画像処理装置１０は、上記（表２）の「ルール種別」が「Ａ」である記憶条件に基づいて記憶先を判断する。即ち、上記（表１）の「番号」が「１」である検索条件による検索が行われると、画像処理装置１０は、検索されたデータを記憶する記憶先を確定記憶領域Ｍ１とする。
【００４６】
なお、図２が示す操作画面に表示されているアイコンのうち、検索条件（ルール）が設定されているアイコン１が実行された場合に、サーバ２０から検索して取得された文書を出力するが、一方で、検索条件（ルール）が設定されていないアイコン３が実行された場合に、サーバ２０に記憶されている文書の一覧情報が表示される。ユーザは文書の一覧情報から文書を選択し、出力を指示する。
【００４７】
上記（表２）が示すように、検索されたデータのうち、「ルール種別」が「Ａ」、「Ｂ」、又は「Ｆ」の記憶条件に該当するデータは、確定記憶領域Ｍ１に記憶される。一方、他のデータは、一時記憶領域Ｍ２に記憶される。また、一時記憶領域Ｍ２に記憶されるデータには、優先度がそれぞれ設定されてもよい。
【００４８】
「ルール種別」が「Ａ」となる検索条件で検索されるデータは、検索を実行する日時が変わっても該当するデータが同一である。一方、「ルール種別」が「Ｅ」となる検索条件等で検索されるデータは、一度検索され、その後、同一の検索条件で検索されても、データが新たに追加されたりすると、該当するデータが変化する場合がある。そこで、画像処理装置１０は、検索条件に対して、検索されるデータが同一となるデータを確定記憶領域Ｍ１に記憶する。
【００４９】
画像処理装置１０は、まず、確定記憶領域Ｍ１からデータを検索する。以前に、「ルール種別」が「Ａ」となる検索条件で検索された場合、データは、確定記憶領域Ｍ１に記憶されている場合が多い。したがって、画像処理装置１０は、サーバ２０等が記憶するデータを検索する処理及びサーバ２０等からデータを取得する処理等を省略することができ、処理負荷を軽減することができる。
【００５０】
また、画像処理装置１０は、差分を検索してもよい。以下、上記（表１）の「番号」が「１７」である検索条件で検索する例で説明する。具体的には、「設定項目」に「２月１日」を設定する検索条件が入力されるとする。即ち、「２月１日」から、検索が実行された日時までに記憶された文書を検索する。この場合、例えば、「２月３日の１１時３０分」に、１回目の検索を実行すると、画像処理装置１０は、「２月１日」から１回目の検索が実行された日時である「２月３日の１１時３０分」までに記憶された文書を検索し、確定記憶領域Ｍ１に記憶する。
【００５１】
次に、例えば、「２月４日の１６時２０分」に、２回目の検索を実行すると、「２月１日」から、１回目の検索が実行された日時である「２月３日の１１時３０分」までに記憶された文書は、１回目の検索によって、確定記憶領域Ｍ１に記憶されているため、「２月１日」から「２月４日の１６時２０分」までに記憶された文書のうち、「２月３日の１１時３０分」までの分については、画像処理装置１０は、確定記憶領域Ｍ１から取得する。即ち、その期間について、再度検索しなくてもよい。次に、画像処理装置１０は、差分となる１回目の検索が実行された日時「２月３日の１１時３０分」から、２回目の検索が実行された日時「２月４日の１６時２０分」までに記憶された文書をサーバ２０等から検索する。
【００５２】
画像処理装置１０は、サーバ２０等を検索するより、確定記憶領域Ｍ１を検索する処理速度の方が速い場合が多い。また、確定記憶領域Ｍ１にデータが記憶されている場合、画像処理装置１０は、ネットワーク等を介して文書を取得する処理を省略できる。ゆえに、画像処理装置１０は、処理負荷を軽減することができる。
【００５３】
また、検索条件は、複数のルールを組み合わせてもよい。例えば、上記（表１）の「番号」が「１７」と、「１３」とを「ＡＮＤ」で組み合わせる例で説明する。この場合、「１７」の条件に基づいて、指定された日時から、検索が実行された日時までに記憶されたデータであり、かつ、「１３」の条件に基づいて、カラーの文書が検索される。また、検索された文書は、「番号」が「１７」に対応する記憶条件「Ａ」のルールに基づいて、確定記憶領域Ｍ１に記憶される。
【００５４】
（実行例）
以下、下記（表４）に示す検索条件及び出力ルールが入力される場合の例で説明する。なお、検索条件及び出力ルールは、図３及び図４に示す操作によって、アイコンに設定され、アイコンがユーザによって押されると、画像処理装置１０は、検索条件及び出力ルールに基づく処理を実行する。
【００５５】
【表４】
2016177685.tif 000006
「登録番号」は、検索条件及び出力ルールを実行する順序を示す番号である。「ＡＮＤ／ＯＲ」は、各検索条件及び出力ルールの組み合わせ方を示す。「ルール名」は、各検索条件及び出力ルールの名称を示す。「ルール」は、検索条件であるか出力ルールであるかと、上記（表１）（検索条件の場合）又は上記（表３）（出力ルールの場合）のいずれの「番号」に該当するルールであるかを示す。「設定値」は、上記（表１）及び上記（表３）の「設定項目」に対応する入力である。
【００５６】
上記（表４）に基づく実行結果は、例えば、下記（表５）のようになる。まず、画像処理装置１０は、上記（表４）の各ルールをそれぞれ評価する。評価によって、各ルールを選択するか否かを決定する。評価によって選択しないルールがある場合、画像処理装置１０は、選択しないルールから上記（表４）の「登録番号」が後のルールを無効にする。
【００５７】
【表５】
2016177685.tif 000007
「文書」は、サーバ２０に記憶されている各文書のパラメータを示す。「ユーザ」は、各文書の作成者等を示す。「文書名」は、各文書のデータ名を示す。「ルール選択結果」は、画像処理装置１０による評価で選択されたか否かを示す。また、「ルール選択結果」は、サーバ２０に記憶されているデータではなく、各文書の中で、どの文書がルールにより選択されたかを説明するための情報である。「ルール選択結果」では、ルールにより文書が選択される場合を「○」、ルールにより文書が選択されない場合を「×」で示す。即ち、例えば、サーバ２０に記憶させている各文書のうち、表４が示すルールが設定されたアイコンが実行されると、表５の「ルール選択結果」が「○」となっている２件の文書が選択される。
【００５８】
この場合、「登録番号」が「１」乃至「３」のルールに基づいて検索された文書が２件のため、出力ルール「４」が示す３件の出力ルールを満たさないため、出力ルールである「５」以降のルールを無視して選択された文書は出力されない。
【００５９】
一方、上記（表４）に基づく実行結果は、例えば、下記（表６）のようになる場合がある。
【００６０】
【表６】
2016177685.tif 000008
サーバ２０に記憶させている７件の文書のうち、「登録番号」が「１」乃至「６」であるルールに基づいて、「ルール選択結果」が「○」の３件の文書が選択される。出力ルール「４」が示す３件の出力ルールを満たすため、出力ルールである「５」以降のルールが示す印刷設定を選択された文書に適用し、または、ダイアログを表示して、文書を出力する。
【００６１】
以下、下記（表７）に示す検索条件及び出力ルールが入力される場合の例で説明する。
【００６２】
【表７】
2016177685.tif 000009
上記（表７）は、上記（表４）にさらに「実行日時」、「ルールＩＤ」、「選択文書ＩＤ」、「記憶先」、及び「前回検索日時」が追加された例である。以下、上記（表４）と異なる点を中心に説明する。「実行日時」は、アイコンが前回実行された日時を示す。「ルールＩＤ」は、各ルールを識別するＩＤ（Ｉｄｅｎｔｉｆｉｃａｔｉｏｎ）である。「選択文書ＩＤ」は、同一の検索条件で検索が以前に実行された場合、以前の検索で検索された文書を識別するＩＤを示す。「記憶先」は、以前の検索で検索された文書の記憶先をパスで示す例である。「前回検索日時」は、以前に検索が行われた日時を示す。
【００６３】
なお、前回に検索された文書は、上記（表７）の「ルールＩＤ」、「選択文書ＩＤ」、「記憶先」、及び「前回検索日時」に対応して、下記（表８）のようにテーブルで記憶される。以下、下記（表８）に示すデータを単に「テーブル」という。
【００６４】
また、表３の条件指定ルールが設定されていないため、選択された文書が１件以上であれば出力する。
【００６５】
【表８】
2016177685.tif 000010
「ルールＩＤ」は、上記（表７）の「ルールＩＤ」に対応する。「文書ＩＤ」は、各文書を識別するＩＤであり、上記（表７）の「選択文書ＩＤ」に対応する。「検索日時」は、各文書が検索された日時であり、上記（表７）の「前回検索日時」に対応する。
【００６６】
上記（表７）に基づく実行結果は、例えば、下記（表９）のようになる。
【００６７】
【表９】
2016177685.tif 000011
上記（表９）は、上記（表７）のうち、「登録番号」が「１」乃至「９」であるルールが選択された場合である。この場合、まず、「登録番号」が「１」乃至「６」のルールに基づいて文書が検索される。
【００６８】
具体的には、「登録番号」が「１」のルールに基づいて「文書名」が「表紙ページ」の条件に該当する「文書ＩＤ」が「１」である文書が検索される。同様に、「登録番号」が「６」のルールに基づいて「文書名」が「裏表紙ページ」の条件に該当する「文書ＩＤ」が「２」である文書が検索される。
【００６９】
また、「登録番号」が「３」のルールに基づいて「ユーザ」が「ａａａ」であり、かつ、「登録番号」が「４」のルールに基づいて「印刷済」が「未印刷」に該当する文書が検索される。さらに、検索された文書のうち、「登録番号」が「５」のルールに基づいて「２０１５／１／１」以後の記憶日の文書が検索される。
【００７０】
次に、画像処理装置は、出力ルールに基づいて、検索されたデータを出力する。具体的には、「登録番号」が「７」のルールに基づいて、２色に変換されて各文書がそれぞれ出力される。また、「登録番号」が「８」のルールに基づいて、各文書が製本されてそれぞれ出力される。さらに、「登録番号」が「９」のルールに基づいて、各文書が出力される際に、ダイアログがそれぞれ表示され、ユーザは、印刷を実行するか否かを入力できる。
【００７１】
（全体処理例）
図６は、本発明の一実施形態に係る情報処理装置による全体処理の一例を示すフローチャートである。
【００７２】
（実行日時の取得例（ステップＳ０１））
ステップＳ０１では、画像処理装置は、アイコンの実行日時を取得する。
【００７３】
（実行日時が取得できたか否かの判断例（ステップＳ０２））
ステップＳ０２では、画像処理装置は、ステップＳ０１で実行日時を取得できたか否かを判断する。次に、実行日時が取得できた場合（ステップＳ０２でＹＥＳ）、画像処理装置は、アイコンの実行は１回目ではないと判定し、ステップＳ０５に進む。一方、実行日時が取得できなかった場合（ステップＳ０２でＮＯ）、画像処理装置は、アイコンに実行は１回目の実行と判定し、ステップＳ０３に進む。
【００７４】
（実行日時の記憶例（ステップＳ０３））
ステップＳ０３では、画像処理装置は、アイコンが実行された実行日時を記憶する。このように、一度実行されたアイコンに対して、実行日時が登録されることで、実行日時の登録の有無により、アイコンの実行が１回目か、２回目以降かを判断できる。
【００７５】
（第１処理例（ステップＳ０４））
ステップＳ０４では、画像処理装置は、第１処理を実行する。
【００７６】
図７は、本発明の一実施形態に係る情報処理装置による第１処理の一例を示すフローチャートである。なお、図７に示す処理は、例えば、上記の差分を検索する際において、「１回目」に行われる処理である。
【００７７】
（検索条件の取得例（ステップＳ１０１））
ステップＳ１０１では、画像処理装置は、検索条件となるルールを取得する。なお、検索条件が上記（表１）において「設定項目」がある場合、画像処理装置は、「設定項目」に設定される設定値を取得する。
【００７８】
（「ＯＲ」検索条件の分割例（ステップＳ１０２））
ステップＳ１０２では、画像処理装置は、検索条件が、「ＯＲ」による複数の検索条件の組み合わせである場合、検索条件を分割する。なお、検索条件が１つの場合、ステップＳ１０２は、省略される。
【００７９】
（検索例（ステップＳ１０３））
ステップＳ１０３では、画像処理装置は、検索条件に該当する文書を検索する。具体的には、画像処理装置は、検索条件に基づいて検索要求をサーバ等に送信する。サーバ等に検索要求が送信されると、サーバ等は、検索条件に該当する文書を検索する。次に、画像処理装置は、検索結果（文書ＩＤ又は件数等）をサーバから受信する。
【００８０】
（検索結果が「設定項目」を満たすか否かの判断例（ステップＳ１０４））
ステップＳ１０４では、画像処理装置は、検索結果が「設定項目」を満たすか否かを判断する。次に、検索結果が「設定項目」を満たす場合（ステップＳ１０４でＹＥＳ）、画像処理装置は、ステップＳ１０５に進む。一方、検索結果が「設定項目」を満さない場合（ステップＳ１０４でＮＯ）、画像処理装置は、ステップＳ１０３又はステップＳ１０６に進む。
【００８１】
（検索結果の記憶例（ステップＳ１０５））
ステップＳ１０５では、検索結果を記憶する。具体的には、上記（表７）及び上記（表８）のように、文書ＩＤ、検索日時、及びルールＩＤを対応させてテーブルで記憶する。
【００８２】
なお、ステップＳ１０３乃至ステップＳ１０５は、ステップＳ１０２で分割された検索条件について繰り返し行われる。
【００８３】
（テーブルに記憶された文書があるか否かの判断例（ステップＳ１０６））
ステップＳ１０６では、画像処理装置は、テーブルに記憶された文書があるか否かを判断する。次に、テーブルに記憶された文書がある場合（ステップＳ１０６でＹＥＳ）、画像処理装置は、ステップＳ１０８に進む。一方、テーブルに記憶された文書がない場合（ステップＳ１０６でＮＯ）、画像処理装置は、ステップＳ１０７に進む。
【００８４】
（該当する文書がない旨の通知例（ステップＳ１０７））
ステップＳ１０７では、画像処理装置は、ユーザに該当する文書がない旨を通知する。
【００８５】
（テーブルに基づく文書の取得例（ステップＳ１０８））
ステップＳ１０８では、画像処理装置は、テーブルに記憶される文書ＩＤに基づいてサーバ等から文書を取得する。なお、画像処理装置は、上記（表３）の「通常出力」として設定される印刷設定等を取得要求とともにサーバ等に送信してもよい。この場合、サーバ等は、印刷設定等を受信すると、印刷設定等を変更した文書を画像処理装置に送信する。
【００８６】
（出力ルールの取得例（ステップＳ１０９））
ステップＳ１０９では、画像処理装置は、出力ルールを取得する。
【００８７】
（「通常出力」であるか否かの判断例（ステップＳ１１０））
ステップＳ１１０では、画像処理装置は、出力ルールが「通常出力」であるか否かを判断する。次に、「通常出力」である場合（ステップＳ１１０でＹＥＳ）、画像処理装置は、ステップＳ１１１に進む。一方、「通常出力」でない場合（ステップＳ１１０でＮＯ）、画像処理装置は、ステップＳ１１２に進む。
【００８８】
（「通常出力」による設定例（ステップＳ１１１））
ステップＳ１１１では、画像処理装置は、「通常出力」によって印刷条件等を設定する。例えば、画像処理装置は、各文書にそれぞれ設定される印刷設定に印刷条件を変更する。なお、印刷設定等が取得要求とともにサーバ等に送信される場合、サーバ等は、印刷設定等を受信して、印刷設定等を変更した文書を画像処理装置に送信してよい。
【００８９】
（「ユーザ確認」であるか否かの判断例（ステップＳ１１２））
ステップＳ１１２では、画像処理装置は、出力ルールが上記（表３）の「ユーザ確認」であるか否かを判断する。次に、「ユーザ確認」である場合（ステップＳ１１２でＹＥＳ）、画像処理装置は、ステップＳ１１３に進む。一方、「ユーザ確認」でない場合（ステップＳ１１２でＮＯ）、画像処理装置は、ステップＳ１１４に進む。
【００９０】
（ダイアログ表示例（ステップＳ１１３））
ステップＳ１１３では、画像処理装置は、「ユーザ確認」を行うダイアログを表示する。
【００９１】
（記憶条件の特定例（ステップＳ１１４））
ステップＳ１１４では、画像処理装置は、記憶条件を特定する。例えば、上記（表１）では、「ルール種別」によって、記憶条件は、特定される。
【００９２】
（記憶条件に基づいて記憶先を判断し、文書を記憶する例（ステップＳ１１５））
ステップＳ１１５では、画像処理装置は、記憶条件に基づいて記憶先を判断し、文書を記憶する。即ち、ステップＳ１１５では、まず、画像処理装置は、確定記憶領域Ｍ１（図５）に記憶する記憶条件に該当する文書であるか否かを判断する。次に、画像処理装置は、確定記憶領域Ｍ１に記憶する記憶条件に該当する文書であると判断すると、文書を確定記憶領域Ｍ１に記憶する。一方、確定記憶領域Ｍ１に記憶する記憶条件に該当する文書でないと判断すると、画像処理装置は、文書を一時記憶領域Ｍ２（図５）に記憶する。
【００９３】
なお、ステップＳ１１４では、「通常出力」による設定は、既に文書に反映されているとする。
【００９４】
（文書ＩＤ及び検索日時の更新例（ステップＳ１１６））
ステップＳ１１６では、画像処理装置は、文書ＩＤ及び検索日時を更新する。具体的には、画像処理装置は、テーブルに記憶した文書ＩＤ及び検索日時のうち、ステップＳ１１５で記憶した文書に係る文書ＩＤ及び検索日時を上記（表７）の「選択文書ＩＤ」及び「前回検索日時」にそれぞれ登録する。
【００９５】
（文書の出力例（ステップＳ１１７））
ステップＳ１１７では、画像処理装置は、文書を出力する。
【００９６】
（第２処理例（ステップＳ０５））
図６に戻り、ステップＳ０５では、画像処理装置は、第２処理を実行する。
【００９７】
図８は、本発明の一実施形態に係る情報処理装置による第２処理の一例を示すフローチャートである。なお、図８に示す処理は、例えば、上記の差分を検索する際において、「２回目」及び「２回目」以降の回に行われる処理である。
【００９８】
また、図８では、図７と同様の処理には、同一の符号を付し、説明を省略する。なお、図８は、図７と比較すると、ステップＳ２０１乃至ステップＳ２０８が加わる点が異なる。以下、異なる点を中心に説明する。
【００９９】
（「ルール種別」が「Ｎ／Ａ」であるか否かの判断例（ステップＳ２０１））
ステップＳ２０１では、画像処理装置は、上記（表１）において、「ルール種別」が「Ｎ／Ａ」であるか否かを判断する。次に、「ルール種別」が「Ｎ／Ａ」である場合（ステップＳ２０１でＹＥＳ）、画像処理装置は、ステップＳ１０３に進む。一方、「ルール種別」が「Ｎ／Ａ」でない場合（ステップＳ２０１でＮＯ）、画像処理装置は、ステップＳ２０２に進む。
【０１００】
（「ルール種別」が「Ａ」であるか否かの判断例（ステップＳ２０２））
ステップＳ２０２では、画像処理装置は、上記（表１）において、「ルール種別」が「Ａ」であるか否かを判断する。次に、「ルール種別」が「Ａ」である場合（ステップＳ２０２でＹＥＳ）、画像処理装置は、ステップＳ２０４に進む。一方、「ルール種別」が「Ａ」でない場合（ステップＳ２０２でＮＯ）、画像処理装置は、ステップＳ２０３に進む。
【０１０１】
（「前回検索日時」の追加例（ステップＳ２０３））
ステップＳ２０３では、画像処理装置は、上記（表７）において、「前回検索日時」以降に記憶された文書を後段のステップＳ１０３で検索するため、「前回検索日時」を追加する。
【０１０２】
（記憶先から文書を取得する例（ステップＳ２０４））
ステップＳ２０４では、画像処理装置は、上記（表７）が示す記憶先から文書を取得する。
【０１０３】
（出力ルールの取得例（ステップＳ２０５））
ステップＳ２０５では、画像処理装置は、出力ルールを取得する。
【０１０４】
（「ユーザ確認」であるか否かの判断例（ステップＳ２０６））
ステップＳ２０６では、画像処理装置は、出力ルールが上記（表３）の「ユーザ確認」であるか否かを判断する。次に、「ユーザ確認」である場合（ステップＳ２０６でＹＥＳ）、画像処理装置は、ステップＳ２０７に進む。一方、「ユーザ確認」でない場合（ステップＳ２０６でＮＯ）、画像処理装置は、ステップＳ２０８に進む。
【０１０５】
（ダイアログ表示例（ステップＳ２０７））
ステップＳ２０７では、画像処理装置は、「ユーザ確認」を行うダイアログを表示する。
【０１０６】
（文書の出力例（ステップＳ２０８））
ステップＳ２０８では、画像処理装置は、文書を出力する。
【０１０７】
（機能構成例）
図９は、本発明の一実施形態に係る情報処理装置の機能構成の一例を示す機能ブロック図である。具体的には、画像処理装置１０は、第１入力部１０Ｆ１と、検索部１０Ｆ２と、第２入力部１０Ｆ３と、第１記憶部１０Ｆ４と、第２記憶部１０Ｆ５と、判断部１０Ｆ６と、消去部１０Ｆ７と、設定部１０Ｆ８とを含む。
【０１０８】
第１入力部１０Ｆ１は、データＤを検索する検索条件Ｒ１を入力する。具体的には、第１入力部１０Ｆ１は、上記（表１）からユーザにルールを選択させる等である。なお、第１入力部１０Ｆ１は、例えば操作パネル１５（図１）等によって実現される。
【０１０９】
検索部１０Ｆ２は、検索条件Ｒ１に基づいてデータＤを検索する。具体的には、検索部１０Ｆ２は、検索条件Ｒ１に該当するデータＤを第１記憶部１０Ｆ４、第２記憶部１０Ｆ５、及び外部装置から検索する。また、検索部１０Ｆ２は、第１記憶部１０Ｆ４及び第２記憶部１０Ｆ５から優先して検索する。即ち、第１記憶部１０Ｆ４及び第２記憶部１０Ｆ５に検索条件Ｒ１に該当するデータがないと、検索部１０Ｆ２は、外部装置を検索し、外部装置が該当するデータを有する場合、外部装置からデータＤを取得する。なお、検索部１０Ｆ２は、例えばＣＰＵ１１１（図１）及びネットワークインタフェース１６（図１）等によって実現される。
【０１１０】
第２入力部１０Ｆ３は、データＤを記憶する記憶先を決定する記憶条件Ｒ２を入力する。具体的には、第２入力部１０Ｆ３は、上記（表１）にユーザに「ルール種別」を入力させる及び上記（表２）を示すデータを入力する等である。なお、第２入力部１０Ｆ３は、例えば操作パネル１５等によって実現される。
【０１１１】
第１記憶部１０Ｆ４は、記憶条件Ｒ２のうち、所定の記憶条件に該当するデータＤを記憶する。具体的には、第１記憶部１０Ｆ４は、確定記憶領域Ｍ１（図５）等である。したがって、上記（表２）である場合、第１記憶部１０Ｆ４は、「ルール種別」が「Ａ」の記憶条件に該当するデータＤを記憶する。なお、第１記憶部１０Ｆ４は、例えばＨＤＤ１１４（図１）等によって実現される。
【０１１２】
第２記憶部１０Ｆ５は、第１記憶部１０Ｆ４に記憶される以外のデータを記憶する。具体的には、第２記憶部１０Ｆ５は、一時記憶領域Ｍ２（図５）等である。したがって、上記（表２）である場合、第２記憶部１０Ｆ５は、「ルール種別」が「Ｃ」の記憶条件に該当するデータ等を記憶する。なお、第２記憶部１０Ｆ５は、例えばＨＤＤ１１４等によって実現される。
【０１１３】
判断部１０Ｆ６は、記憶条件に基づいて、データＤを記憶する記憶先を第１記憶部１０Ｆ４とするか第２記憶部１０Ｆ５とするかを判断する。なお、判断部１０Ｆ６は、例えばＣＰＵ１１１等によって実現される。
【０１１４】
消去部１０Ｆ７は、例えば、ＨＤＤ１１４がデータ等で一杯となりデータがこれ以上記憶できない場合等に、データを消去する。この場合、消去部１０Ｆ７は、第２記憶部１０Ｆ５が記憶するデータＤから順に消去して、いわゆる空き容量を確保する。なお、第２記憶部１０Ｆ５が記憶するデータＤを消去する場合、消去部１０Ｆ７は、優先度ＰＲＩが低いデータＤから順に消去する。また、消去部１０Ｆ７は、例えばＣＰＵ１１１等によって実現される。
【０１１５】
設定部１０Ｆ８は、第２記憶部１０Ｆ５が記憶するデータＤに、例えば上記（表２）に示すように、優先度ＰＲＩを設定する。なお、設定部１０Ｆ８は、例えばＣＰＵ１１１等によって実現される。
【０１１６】
画像処理装置１０は、第１入力部１０Ｆ１によって入力される検索条件Ｒ１に基づいて、検索部１０Ｆ２がデータＤを検索し、検索されたデータＤを記憶する。次に、画像処理装置１０は、記憶条件Ｒ２に基づいて、検索されたデータＤを記憶する記憶先を第１記憶部１０Ｆ４とするか第２記憶部１０Ｆ５とするかを判断部１０Ｆ６によって判断する。
【０１１７】
また、判断部１０Ｆ６が記憶先を第１記憶部１０Ｆ４にすると判断する場合、第１記憶部１０Ｆ４は、検索されたデータＤを記憶する。一方、判断部１０Ｆ６が記憶先を第２記憶部１０Ｆ５にすると判断とする場合、第２記憶部１０Ｆ５は、検索されたデータＤを記憶する。
【０１１８】
したがって、画像処理装置１０は、データＤが記憶される記憶先を記憶条件Ｒ２に基づいて、第１記憶部１０Ｆ４とするか第２記憶部１０Ｆ５とするか切り換えることができる。
【０１１９】
消去部１０Ｆ７は、第２記憶部１０Ｆ５が記憶するデータＤから順に消去するため、第１記憶部１０Ｆ４に記憶されるデータＤは、消去されずに、画像処理装置１０が記憶している場合が多い。第１記憶部１０Ｆ４に記憶されるデータＤは、再度検索された場合でも、前回と同一のデータである場合が多い。したがって、画像処理装置１０が再度検索されるデータを記憶していると、画像処理装置１０は、外部装置を検索する処理及び外部装置からデータを取得する処理を省略できるため、検索処理等の負荷を軽減し、処理時間を短くすること等ができる。
【０１２０】
さらに、設定部１０Ｆ８が優先度ＰＲＩを設定すると、消去部１０Ｆ７は、第２記憶部１０Ｆ５が記憶するデータＤのうち、優先度ＰＲＩの低いデータから順に消去する。したがって、第２記憶部１０Ｆ５に記憶されるデータのうち、再度検索された場合に検索対象となる可能性の高いデータに設定部１０Ｆ８が高い優先度ＰＲＩを設定する。この場合、検索部１０Ｆ２が第２記憶部１０Ｆ５に記憶されるデータから検索対象となるデータを検索できる可能性が高くなる。そのため、画像処理装置１０は、外部装置を検索する処理及び外部装置からデータを取得する処理を省略できる可能性が高くなり、検索処理等の負荷を軽減し、処理時間を短くすること等ができる。
【０１２１】
なお、本発明に係る各処理の全部又は一部は、アセンブラ、Ｃ、Ｃ＋＋、Ｃ＃、及びＪａｖａ（登録商標）等のレガシープログラミング言語又はオブジェクト指向プログラミング言語等で記述されたコンピュータに実行させるためのプログラムによって実現されてもよい。即ち、プログラムは、情報処理装置又は１以上の情報処理装置を含む情報処理システム等のコンピュータに各処理を実行させるためのコンピュータプログラムである。
【０１２２】
また、プログラムは、ＲＯＭ又はＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）等のコンピュータが読み取り可能な記録媒体に格納して頒布することができる。さらに、記録媒体は、ＥＰＲＯＭ（Ｅｒａｓａｂｌｅ  Ｐｒｏｇｒａｍｍａｂｌｅ  ＲＯＭ）、フラッシュメモリ、フレキシブルディスク、ＣＤ−ＲＯＭ、ＣＤ−ＲＷ、ＤＶＤ−ＲＯＭ、ＤＶＤ−ＲＡＭ、ＤＶＤ−ＲＷ、ブルーレイディスク、ＳＤ（登録商標）カード、又はＭＯ等でもよい。さらにまた、プログラムは、電気通信回線を通じて頒布することができる。
【０１２３】
さらに、情報処理システムは、ネットワーク等によって相互に接続される２以上の情報処理装置を有し、各種処理の全部又は一部を複数の情報処理装置が分散、並列、又は冗長してそれぞれ処理を行ってもよい。
【０１２４】
以上、本発明の好ましい実施例について詳述したが、本発明は係る特定の実施形態に限定されるものではなく、特許請求の範囲に記載された本発明の要旨の範囲内において、種々の変形又は変更が可能である。
【符号の説明】
【０１２５】
１０  画像処理装置
Ｍ１  確定記憶領域
Ｍ２  一時記憶領域
Ｒ１  検索条件
Ｒ２  記憶条件
ＰＲＩ  優先度
【先行技術文献】
【特許文献】
【０１２６】
【特許文献１】特開２０１３−１４５４８３号公報
【図１】
2016177685.tif 000012
【図３】
2016177685.tif 000013
【図５】
2016177685.tif 000014
【図６】
2016177685.tif 000015
【図７】
2016177685.tif 000016
【図８】
2016177685.tif 000017
【図９】
2016177685.tif 000018
【図２】
2016177685.tif 000019
【図４】
2016177685.tif 000020